(57)【要約】【課題】構造全体が更に簡単精巧で、製造コストを下げる多方向調整可能な蝶番を提供する。【解決手段】多方向調整可能な蝶番は、ヘッド台（１）、延長台（２）、固定台（３）、連接軸（４）、バネ片（５）、調整ネジ（６）及調整凸輪（７）を含む。そのうちヘッド台は、一納置室（１１）を具え、延長台一端は一腕片が伸びてヘッド台と連接軸で枢設する。別一端は反対方向に折曲して一接合部（２２）を設置し、且つ延長台両端には側壁を具える。固定台両端には折片（３１）を設置し、固定台の折片を延長台の側壁と接合部の端縁の間に嵌合し、折片には凸体（３２）を設置してそれを接合部で押さえる。更に延長台の腕片近くの一側面と固定台は調整ネジ（６）で連結して相互に動き、固定台別一側は、接合部と調整凸輪（７）で連結して相互に動く。更にバネ片は一固定部でヘッド台の納置室内に固定し、また一施力部は腕片に差し込んで押さえる。【選択図】図１
0003139821.tif 000002
【実用新案登録請求の範囲】
【請求項１】
納置室を具えたヘッド台と、
板体で、相対する二端を具え、その二端間の中央箇所に貫通孔を設置し、中央箇所両側に側壁を具え、またその一端は腕片が伸び、前記ヘッド台の納置室に対応設置され、別一端は反対方向に折曲して接合部を設置し、側壁と前記接合部の側縁の間には隙間が形成される延長台と、
前記板体で、両側に折片を設置し、前記折片は凸体を有し、折片を延長台の側壁と接合部の端縁の間に嵌合し、且つ折片の凸体で接合部を押さえる一固定台と、
延長台の腕片とヘッド台に差し込んで枢設し、前記腕片を前記ヘッド台に枢設する連接軸と、
固定部と施力部を含み、前記固定部は前記ヘッド台の前記納置室内に固定し、施力部は前記延長台の前記腕片に差し込んで押さえるバネ片と、
前記延長台の前記腕片に近い箇所に差し込んでネジ止めし、固定台に連結する調整ネジと、
前記延長台の接合部に差し込んで押さえ、前記固定台に連結する調整凸輪を備えることを特徴とする多方向に調整可能な蝶番。
【請求項２】
前記納置室はその内部に固定片と停止体を設置して前記バネ片の固定部で押さえ、前記固定片が固定部を押さえて固定することを特徴とする請求項１記載の多方向に調整可能な蝶番。
【請求項３】
前記停止体は、前記バネ片の固定部辺縁に対応することを特徴とする請求項２記載の多方向に調整可能な蝶番。
【請求項４】
前記延長台の腕片は、端部に凸輪部を成形し、その凸輪部は連接軸を差し込んで枢設し、且つ腕片の凸輪部に近い箇所に開槽を設置し、前記バネ片の施力部を開槽に差し込んで凸輪部で押さえることを特徴とする請求項１記載の多方向に調整可能な蝶番。
【請求項５】
前記延長台の接合部は、長槽を設置し、前記固定台には一穿孔を設置し、調整凸輪はリベット接続端と凸輪体を具え、調整凸輪のリベット接続端で前記固定台の穿孔を連結し、且つ前記凸輪体は延長台の接合部の前記長槽内に伸びることを特徴とする請求項１記載の多方向に調整可能な蝶番。
【請求項６】
前記延長台は、腕片近くの一側面にネジ紋孔を設置し、前記固定台には一嵌入槽を設置し、前記調整ネジはネジ紋部と環状溝を具え、前記調整ネジのネジ紋部をネジ紋孔に差し込み、環状溝を嵌入槽に嵌合することを特徴とする請求項１記載の多方向に調整可能な蝶番。
【請求項７】
前記固定台は、側面に二つの停止凸片を設置し、また長孔を設置することを特徴とする請求項１記載の多方向に調整可能な蝶番。
【考案の詳細な説明】
【技術分野】
【０００１】
本考案は、多方向調整可能な蝶番に関するもので、特に組立部品が更に簡単精巧で、且つ調整機構の組合せ構造が更にしっかりと固定されるものである。
【背景技術】
【０００２】
一般の家具の蝶番は、通常クローゼットに使用され、その基本構造は、ヘッド台、延長腕及び固定台を含む。延長腕はヘッド台に枢設して開くことができ、ヘッド台は通常ドア板等物品に固定される。また延伸腕は、クローゼット上の固定台に固定して連接し、且つヘッド台内には弾性部品を設置して延長腕に力を加えると、ドア板でクローゼットを遮蔽する時に閉鎖力を具える。
【０００３】
この種の家具クローゼットの蝶番設計は、組み立てる時に、Ｘ、Ｙ、Ｚ軸の多方向調整機能を具える。例として下記の米国特許を提示する。
上述の多方向調整可能な蝶番において、そのうち特許文献３と特許文献６の構造設計に下記の問題がある。
【０００４】
【特許文献１】米国特許第６，４７０，５３１Ｂ２号明細書
【特許文献２】米国特許第６，６４３，８９５Ｂ１号明細書
【特許文献３】米国特許第６，６４７，５９１Ｂ１号明細書
【特許文献４】米国特許第６，６９４，５６７Ｂ１号明細書
【特許文献５】米国特許第６，７７９，２３３Ｂ２号明細書
【特許文献６】米国特許第６，８４５，５４４Ｂ２号明細書
【特許文献７】米国特許第６，８８０，２０５Ｂ２号明細書
【考案の開示】
【考案が解決しようとする課題】
【０００５】
米国特許の構造設計は、ヘッド台部分のほかにその他の組合体は全て少なくとも四個主要部品（調整ネジもしくは凸輪を含まない）を採用している。それは部品の金型コストが高いだけでなく、組立順序が複雑で、且つ調整ネジの結合構造箇所の使用期間が進むに従い、緩んでしまう点において問題である。
【課題を解決するための手段】
【０００６】
本考案は、ヘッド台、延長台、固定台、連接軸、バネ片、調整ネジ及調整凸輪を含む。そのうちヘッド台は、納置室を具え、延長台一端は腕片が伸びてヘッド台と連接軸で枢設する。別の一端は反対方向に折曲して接合部を設置し、且つ延長台両端には側壁を具える。固定台両端には折片を設置し、固定台の折片を延長台の側壁と接合部の端縁の間に嵌合し、折片には凸体を設置してそれを接合部で押さえる。更に延長台の腕片近くの一側面と固定台は調整ネジで連結して相互に動き、固定台の別の一側面は、接合部と調整凸輪で連結して相互に動く。更にバネ片は一固定部でヘッド台の納置室内に固定し、また施力部は腕片に差し込んで押さえることを主要な特徴とする。
（考案の効果）
【０００７】
本考案の多方向調整可能な蝶番は、下記の利点がある。ヘッド台、調整ネジ、調整凸輪の他、本考案その他の組合部品は延長台と固定台二個を主な部品とするため、組み立てしやすく、製造コストも低い。
延長台は反対方向に折曲した接合部で固定台に連接する。その折曲連接の箇所が適度な弾性を具えるため、その弾性によって調整ネジで延長台と固定台の別端を連結し、良好な張力を具え、結合が安定するだけでなく、調整ネジの回転は締め過ぎることなく、全体の使用寿命を延ばす。
【考案を実施するための最良の形態】
【０００８】
以下に本考案の最適な実施形態を図面と共に説明する。
本考案が提供する多方向調整可能な蝶番は、有ヘッド台、延長台、固定台、連接軸、バネ片、調整ネジ及び調整凸輪を含む。そのうちヘッド台は納置室を具え、延長台一端は腕片が伸びてヘッド台と連接軸で枢設する。別一端は反対方向に折曲して接合部を設置し、且つ延長台中央箇所には貫通孔を設置し、両端は側壁を具え、固定台両端には折片を設置する。固定台の折片を延長台の側壁と接合部の端縁の間に嵌合し、折片には凸体を設置して接合部で押さえ、且つ延長台の腕片近くの一側と固定台は調整ネジで連結して相互に動く。固定台別側は、接合部と調整凸輪で連結して相互に動き、バネ片は、固定部でヘッド台の納置室内に固定し、施力部は腕片に差し込んで押さえる。
【０００９】
納置室の底面に固定片と停止体を設置して、固定部で押さえ、固定片が固定部を押さえて固定する。停止体はバネ片の固定部辺縁に対応する。そのうち，延長台の腕片端部に凸輪部を成形し、凸輪部に連接軸を差し込んで枢設し、且つ腕片の凸輪部に隣接する箇所に開槽を設置し、バネ片の施力部は開槽に差し込んで凸輪部を押さえる。
延長台の接合部には長槽を設置し、固定台には穿孔を設置する。調整凸輪はリベット接続端と凸輪体を具え、調整凸輪はリベット接続端で穿孔に連結し、且つ凸輪体は長槽内に伸びる。
延長台の腕片に近い一側面にネジ紋孔を設置し、固定台には嵌入槽を設置し、調整ネジはネジ紋部と環状溝を具え、調整ネジはネジ紋部をネジ紋孔に差し込み、環状溝を嵌入槽に嵌合する。固定台一側面には二つの停止凸片を設置し、また長孔を設置する。
【００１０】
（組立て手順）
第１図と第２図に示すとおり、本考案の実施例は、ヘッド台１、延長台２、固定台３、連接軸４、バネ片５、調整ネジ６及び調整凸輪７を含む。
【００１１】
ヘッド台１は、納置室１１を具え、その納置室１１の底面には固定片１２と停止体１３を設置する。
【００１２】
延長台２[第３図と共に参照]は、相対する二端を具えた板体で、その二端の間の中央箇所には貫通孔２３を有する。中央箇所両端は側壁２４を具え、その一端は腕片２１へ伸びる。腕片２１端部には凸輪部２１１が形成され、凸輪部２１１をヘッド台１の納置室１１に入れて枢設し、且つ腕片２１の凸輪部２１１に隣接する箇所には開槽２１２を設置する。延長台２の別の一端は反対方向に折曲して接合部２２を設置する。接合部２２には長槽２２１を設置し、且つ延長台２の腕片２１に近い一側にはネジ紋孔２５を設置する。別に側壁２４と接合部２２の側面縁の間は隙間が形成される。
【００１３】
固定台３は、板体で両側に折片３１を設置し、固定台３の折片３１を延長台２の側壁２４と接合部２２の端縁の間に嵌入し、折片３１に設置した凸体３２が接合部２２を押さえる。更に固定台３には前述の接合部２２の長槽２２１に対応する箇所に穿孔３３、及び延長台２のネジ紋孔２５に対応する箇所に嵌入槽３４を設置する。嵌入槽３４は相対し、且つ隙間の開いた板壁３４１から構成される。別に第３図に示すとおり、固定台３の一側面には二つの停止凸片３５,及び長孔３６を設置する。
【００１４】
連接軸４は、ヘッド台１と、延長台２の腕片２１の凸輪部２１１に差し込んで枢設する。
【００１５】
バネ片５は、固定部５１と施力部５２を含み、固定部５１はヘッド台１の納置室１１底面に設置され、停止体１２で固定部５１辺縁を押さえ、固定片１３で固定部５１を押差えて固定する。バネ片５は別に施力部５２を具え、延長台２の腕片２１の開槽２１２に差し込んで凸輪部２１１で押さえる。
【００１６】
調整ネジ６は、延長台２の腕片２１近くの一側面にネジ止めし、固定台３に連結する。そのうち調整ネジ６はネジ紋部６１と環状溝６２を具え、調整ネジ６のネジ紋部６１をネジ紋孔２５に差し込み、環状溝６２を嵌入槽３４内に嵌合し、環状溝６２が嵌入槽３４の相對する板壁３４１に嵌合される。
【００１７】
調整凸輪７は、延長台２の接合部２２に差し込み、固定台３の別の一側面に連結する。そのうち、調整凸輪７はリベット接続端７１と凸輪体７２を具え、調整凸輪７のリベット接続端７１を穿孔３３に連結し、且つ凸輪体７２の長槽２２１内に設置する。
【００１８】
上記実施例をクローゼットに用いる時、第４図に示すとおり、本考案の蝶番は、固定台３の停止凸片３５でクローゼットの壁板８の側端を押さえ、またネジ栓８１を固定台３の長孔３６に差し込み、壁板８にネジ止めし、またクローゼットのドア板９にはヘッド台１を設置し、ネジ釘９１で固定する。
【００１９】
本考案の蝶番に調整動作を行う時、第５図に示すとおり、ネジ栓８１を固定台３の長孔３６に差し込み、まだネジ止めが完成していない時、固定台３は長孔３６の隙間によって、図の座標表示のようにＺ方向へ調整する。
【００２０】
また固定台３を基準として不動の状態から、第６図に示すとおり、調整凸輪７を回転し、調整凸輪７の凸輪体７２が延長台２の接合部２２の長槽２２１を押さえると、腕片２１を経てヘッド台１が動いて図の座標表示のＸ方向へ移動する。
【００２１】
同様に固定台３を基準として不動の状態から、第７図に示すとおり、調整ネジ６を回転すると、そのネジ紋部６１が延長台２の腕片２１近くの一側面を動かしての座標表示のＹ方向へ移動し、この状態の時、延長台２は接合部２２の折曲段に連接して調整可能な弾性を提供する。
【図面の簡単な説明】
【００２２】
【図１】本考案の実施例の分解図[固定片は未折曲]である。
【図２】本考案の実施例の組立図である。
【図３】本考案の実施例延長台、固定台、調整ネジ及び調整凸輪を含む別角度の分解図である。
【図４】本考案の実施例をクローゼット壁板とドア板に設置した組立指示図である。
【図５】本考案の実施例の調整指示図一[例図座標表示のＺ方向]である。
【図６】本考案の実施例の調整指示図二[如図座標表示のＸ方向]である。
【図７】本考案の実施例の調整指示図三[如図座標表示のＹ方向]である。
【符号の説明】
【００２３】
１：ヘッド台、１１：納置室、１２：固定片、１３：停止体、２：延長台、２１：腕片、２１１：凸輪部、２１２：開槽、２２：接合部、２２１：長槽、２３：貫通孔、２４：側壁、２５：ネジ紋孔、３：固定台、３１：折片、３２：凸体、３３：穿孔、３４：嵌入槽、３４１：板壁、３５：停止凸片、３６：長孔、４：連接軸、５：バネ片、５１：固定部、５２：施力部、６：調整ネジ、６１：ネジ紋部、６２：環状溝、７：調整凸輪、７１：リベット接続端、７２：凸輪体、８：壁板、８１：ネジ栓、９：ドア板、９１：ネジ釘
【図１】
0003139821.tif 000003
【図２】
0003139821.tif 000004
【図３】
0003139821.tif 000005
【図４】
0003139821.tif 000006
【図５】
0003139821.tif 000007
【図６】
0003139821.tif 000008
【図７】
0003139821.tif 000009